(57)【特許請求の範囲】
【請求項１】
座受用フレーム上に座板を支持させてなり、座受用フレームの上面と座板の下面との間に隙間が形成されたものであって、
その隙間が形成された領域に、座板の下面から弾性リブを一体に突設し、その弾性リブの先端を座受用フレームの外面に傾斜した状態で弾接するようにしたものであり、
前記弾性リブが、左右方向に伸びる板状のものであり、その先端が前記座受用フレームを構成する側フレームの上面に傾斜した状態で当接するものであり、
当該弾性リブが、前記座板に作用する上載荷重により基端に対して先端が上方に回動する方向に弾性変形し得るようになっていることを特徴とする椅子。
【請求項２】
前記弾性リブが、前記座板の前縁部分に設けられたものである請求項１記載の椅子。
【請求項３】
前記座板が、前記弾性リブの弾性変形を規制するための補強リブを備えたものである請求項１又は２記載の椅子。
【請求項４】
前記補強リブが、前記隙間を隠す位置に設けられたものである請求項３記載の椅子。
【請求項５】
前記補強リブが、その先端を前記座受用フレームの外面に傾斜した状態で弾接するようにしたものである請求項３又は４記載の椅子。
【請求項６】
前記弾性リブと補強リブとが一体に設けられている請求項３、４又は５記載の椅子。
【発明の詳細な説明】
【技術分野】
【０００１】
本発明は、学校用または事務用等として好適に使用される椅子に関する。
【背景技術】
【０００２】
従来、この種の椅子では、フレーム上に座板を載せてなるものが広く知られている（例えば、特許文献１を参照）。
【０００３】
このような椅子では、座板の上方からかかる荷重によって座板の変形を阻害することがないように、座板の下面側とフレームの上面側との間に、例えば特許文献１のリブ１２１等フレームに直交する座板支持用の突起が間欠的に設けられることがある。
【０００４】
このような突起は、座板とフレームとの間に隙間を作るためのものであるため、隣接する突起間にはある程度の距離が必要となる。そのため、座板の変形量が大きくなると座板とフレームとの間の隙間の幅が座板にかかる荷重に応じて増減することとなり、このような突起を形成する場所によっては、使用者がこの隙間に指を挟むおそれもある。
【０００５】
このような問題を解消すべく、隣接する支持用突起間の間隔を小さくする等して座り心地を良くすることも考えられるが、隙間が少なくなることによって座板の適度な弾性変形を保つことができず、底付き感を与えてしまうおそれがある。
【先行技術文献】
【特許文献】
【０００６】
【特許文献１】特開２００７−２０２５９１号公報
【発明の概要】
【発明が解決しようとする課題】
【０００７】
本発明は、以上のような事情に着目してなされたものであり、座板とフレームとの間の隙間での指挟みを防止するとともに、座板の適度な弾性変形を保ち座り心地のよい椅子を提供することを目的とする。
【課題を解決するための手段】
【０００８】
本発明は、以上のような課題を解決するために、次のような構成を採用したものである。すなわち、本発明に係る椅子は、座受用フレーム上に座板を支持させてなり、座受用フレームの上面と座板の下面との間に隙間が形成されたものであって、
その隙間が形成された領域に、座板の下面から弾性リブを一体に突設し、その弾性リブの先端を座受用フレームの外面に傾斜した状態で弾接するようにしたものであり、前記弾性リブが、左右方向に伸びる板状のものであり、その先端が前記座受用フレームを構成する側フレームの上面に傾斜した状態で当接するものであり、当該弾性リブが、前記座板に作用する上載荷重により基端に対して先端が上方に回動する方向に弾性変形し得るようになっていることを特徴とする。
【０００９】
ここで「傾斜」とは、直交する方向以外の方向から接触させることを意味している。
【００１０】
このようなものであれば、弾性リブによって指を挟むのを防止しつつ、座板に荷重がかかった際に弾性リブが厚み変形に変形することができ、クッション性を備えたものとすることができる。
【００１１】
弾性リブとしては、前記座板の前縁部分に設けられたものが好適な一態様として挙げられる。
【００１２】
座板は、前記弾性リブの弾性変形を規制するための補強リブを備えたものであることが好ましい。
【００１３】
補強リブの具体的な一態様としては、前記隙間を隠す位置に設けられたものが挙げられる。
【００１４】
補強リブは、その先端を前記座受用フレームの外面に傾斜した状態で弾接するようにしたものであってもよい。
【００１５】
また、弾性リブと補強リブとが一体に設けられていることが好ましい。
【発明の効果】
【００１６】
本発明は、以上のような構成であるから、座板とフレームとの間の隙間での指挟みを防止するとともに、座板の適度な弾性変形を保ち座り心地のよい椅子を提供することができる。
【図面の簡単な説明】
【００１７】
【図１】本発明の一実施形態を示す椅子の全体斜視図。
【図２】同実施形態を示す椅子の正面図。
【図３】同実施形態を示す椅子の背面図。
【図４】同実施形態を示す椅子の右側面図。
【図５】同実施形態を示す椅子の平面図。
【図６】同実施形態を示す椅子の底面図。
【図７】同実施形態を示す椅子の分解斜視図。
【図８】同実施形態の座板における保護シート受けを取り付けていない状態を示す底面図。
【図９】同実施形態の中央側断面図。
【図１０】同実施形態の要部を拡大して示す断面図。
【図１１】同実施形態の要部を拡大して示す断面図。
【図１２】同実施形態の要部を拡大して示す断面図。
【図１３】同実施形態の要部を分解して示す説明図。
【図１４】同実施形態の背板の取付部を拡大して示す側断面図。
【図１５】同実施形態の椅子を用いたスタッキング状態を示す説明図。
【図１６】同実施形態の椅子を用いたスタッキング状態を断面で示す説明図。
【図１７】同実施形態の要部を拡大して示す斜視図。
【図１８】図１７におけるＸ−Ｘ線断面図。
【図１９】本発明の変形例を示す説明図。
【図２０】本発明の他の変形例を示す説明図。
【図２１】本発明のさらに他の変形例を示す説明図。
【発明を実施するための形態】
【００１８】
以下、本発明の一実施形態について図１ないし図１８を参照して説明する。
【００１９】
この実施形態は、本発明を上下方向にスタッキング可能な椅子１に適用したものである。この椅子１は、椅子本体２に座板３及び背板４を支持させてなるものである。
【００２０】
椅子本体２は、図１ないし図７、及び図９ないし図１４に示すように、接地体２１１を介して床上に載置される左右のベース２１と、これら各ベース２１の前端から上方に延出する左右の前脚２２と、前記各ベース２１の後端から上方に延出する左右の後脚２３と、この後脚２３の中間部と前記前脚２２の上端とを繋ぐ左右の側フレーム２５と、これら側フレーム２５の前端近傍部間に架設された前連結フレーム２６と、前記後脚２３間に前記側フレーム２５を介して架設された後連結フレーム２４と、前記左右の前脚２２の上端近傍部間に架設された前フレーム２７とを備えてなる。前記側フレーム２５と、前連結フレーム２６、及び、後連結フレーム２４は、上に座板３を配置するためのものであり、本発明の座受用フレームを構成する。この座受用フレームは、座板３の前後左右縁に沿って配置され、閉じた四角形状をなす。前記ベース２１、前脚２２、後脚２３、及び側フレーム２５は、共通の金属線材や丸パイプを曲げることにより一体に構成されたもので、前記座板３及び背板４に作用する荷重を受けることが可能な強度を備えている。そして、前記前連結フレーム２６及び後連結フレーム２４に前記座板３を支持させている。
【００２１】
前記前連結フレーム２６は、図６、図７、図９及び図１０に示すように、縁に折曲げ部を有しない平板状のもので、その左右の端縁２６１を前記両側フレーム２５に溶接により接合している。そして、この前連結フレーム２６は、前縁２６５の左右方向長さが後縁２６６の左右方向長さよりも大きくなるような台形状の平面部２６２を有したものであり、その前連結フレーム２６の左右の端縁２６１を前記両側フレーム２５の前端部２５１に接合している。なお、この実施形態においては、前連結フレーム２６は、前縁２６５及び後縁２６６に折曲げ部を一切有しておらず平面部２６２のみから構成されている。この前連結フレーム２６の左右両端部２６４には、取付具たるビス５３を挿通させるためのビス孔２６３が設けられており、その左右両端部２６４のみが座板３に止着される。この平板状の前連結フレーム２６は、座板３にかかる荷重を受けて厚み方向に弾性変形し得る厚み寸法を有する金属製のものである。
【００２２】
前記後連結フレーム２４は、図３、図６、図７、図８及び図１１に示すように、縁に折曲げ部を有しない平板状のもので、その左右の端縁２４１を前記両側フレーム２５に溶接により接合している。そして、この後連結フレーム２４は、後縁２４６の左右方向長さが前縁２４５の左右方向長さよりも大きくなるような台形状の平面部２４２を有したものであり、その後連結フレーム２４の左右の端縁２４１を前記両側フレーム２５の後端部２５２に接合している。なお、この実施形態においては、後連結フレーム２４は、前縁２４５及び後縁２４６に折曲げ部を一切有しておらず平面部２４２のみから構成されている。この後連結フレーム２４の左右両端部２４４には、取付具たるビス５２を挿通させるためのビス孔２４３が設けられており、その左右両端部２４４のみが座板３に止着される。この平板状の後連結フレーム２４は、座板３にかかる荷重を受けて厚み方向に弾性変形し得る厚み寸法を有する金属製のものである。
【００２３】
前記側フレーム２５は、図２ないし図４、図６、図７、図９ないし図１４、図１７及び図１８に示すように、平面視において、前方から後方に向けて左右間距離が漸次縮小するように形成された緩傾斜部分２５３と、この緩傾斜部分２５３の後端に連続させて設けられ前方から後方に向けて左右間距離が漸次拡大するように形成された急傾斜部分２５４とからなるもので、平面視くの字形をなしている。すなわち、この実施形態においては、各側フレーム２５の後端部２５２が急傾斜部分２５４をなし、後端部２５２以外の部位が緩傾斜部分２５３をなしている。また、側面視において、緩傾斜部分２５３は後方に向かって漸次低くなるように緩く傾斜しており、急傾斜部分２５４は後方に向かって漸次高くなるように急傾斜している。そして、これら側フレーム２５の前端部２５１の内側に、前記前連結フレーム２６の左右の端縁２６１を略全域にわたって溶接により接合している。また、これら側フレーム２５の後端部２５２の内側に、前記後連結フレーム２４の左右の端縁２４１を略全域にわたって溶接により接合している。換言すれば、後連結フレーム２４は、後上方に向かって傾斜する左右の側フレーム２５の後端部２５２間を接続しており、そのため、この後連結フレーム２４が側フレーム２５の後端部２５２に沿って後ろ上方に向かって傾斜している。そして、後連結フレーム２４の左右両端部２４４に設けられた座板３を止めるビス孔２４３は、斜め前上方を向いている。
【００２４】
以上のようにしてなる椅子本体２の上に座板３を配している。そして、この座板３は、その下面と前記側フレーム２５の上面との間に当該座板３の下方への撓みを許容できるだけの隙間５１を形成した状態で取り付けられている。
【００２５】
座板３は、図１ないし図１４、図１７及び図１８に示すように、座板本体３１と、この座板本体３１の下面に設けられた前後の連結フレーム係合部３２、３３と、前記座板本体３１の下面に設けられた左右の側フレーム係合部３４と、前記座板本体３１の前端部下面に設けられた左右の指挟み防止部３５と、前記各連結フレーム係合部３２、３３の左右両端に設けられた取付部３６、３７とを備えたものであり、その前端部分３８が下方に垂れ下がった形状をなしているとともに、後端部分３９が上方に反り上がった形状をなしている。この座板３は、本実施形態においては、合成樹脂により一体に成形されている。
【００２６】
座板本体３１は、図１ないし図１４、図１７及び図１８に示すように、中間領域に複数の貫通孔３１１を備えたものである。貫通孔３１１は、座板本体３１の前縁部分においては直線状に配列されているとともに、後縁部分においては弧を描くように配列されており、中間部分は前から後ろに向かって漸次曲率が大きくなるようにして弧を描くように配列されている。また、これら貫通孔３１１の大きさは、座板本体３１の前縁部分から後縁部分に向かって漸次大きくなるように設定されている。各貫通孔３１１は、上半部に設けた円筒部分３１６と下半部に設けられ下方に向かって拡開する円錐部分３１７とを備えたもので、円筒部分３１６と円錐部分３１７との境界部分３１８には、座板３の上面部分から視認可能な稜線が形成されている。
【００２７】
前の連結フレーム係合部３２は、図６ないし図１０に示すように、前記前連結フレーム２６を下側から係わり合わせるためのもので、左右方向に間隔を開けて座板本体３１の下面から突設された前後に伸びる前後リブ３２１と、これら前後リブ３２１の前縁を連結するようにして座板本体３１の下面から突設された左右方向に伸びる前の左右リブ３２２と、前記前後リブ３２１の後縁を連結するようにして座板本体３１の下面から突設された左右方向に伸びる後ろの左右リブ３２３とを備えたものである。すなわち、各前後リブ３２１と前後の左右リブ３２２、３２３とは、一体化されている。前後リブ３２１は、前記前連結フレーム２６上に先端を当接させたもので、各前後リブ３２１が均等に前連結フレーム２６に当接し得る突出寸法に設定されている。前の左右リブ３２２は、前記前連結フレーム２６の前縁２６５に沿って伸びるものであり、前連結フレーム２６の下面よりも下方に突出するような寸法に設定されている。後ろの左右リブ３２３は、前記前連結フレーム２６の後縁２６６に沿って伸びるものであり、前連結フレーム２６の下面よりも下方に突出するような寸法に設定されている。すなわち、前連結フレーム２６を前後方向から覆い隠すようになっている。
【００２８】
後ろの連結フレーム係合部３３は、図３、図６ないし図９及び図１１に示すように、前記後連結フレーム２４を下側から係わり合わせるためのもので、左右方向に間隔を開けて座板本体３１の下面から突設された前後に伸びる前後リブ３３１と、これら前後リブ３３１の前縁を連結するようにして座板本体３１の下面から突設された左右方向に伸びる前の左右リブ３３２と、前記前後リブ３３１の後縁を連結するようにして座板本体３１の下面から突設された左右方向に伸びる後ろの左右リブ３３３とを備えたものである。すなわち、各前後リブ３３１と前後の左右リブ３３２、３３３とは、一体化されている。前後リブ３３１は、前記後連結フレーム２４上に先端を当接させたもので、各前後リブ３３１が均等に後連結フレーム２４に当接し得る突出寸法に設定されている。前の左右リブ３３２は、前記後連結フレーム２４の前縁２４５に沿って伸びるものであり、後連結フレーム２４の下面よりも下方に突出するような寸法に設定されている。後ろの左右リブ３３３は、前記後連結フレーム２４の後縁２４６に沿って伸びるものであり、後連結フレーム２４の下面よりも下方に突出するような寸法に設定されている。すなわち、後連結フレーム２４を前後方向から覆い隠すようになっている。
【００２９】
側フレーム係合部３４は、図２ないし図４、図６ないし図９及び図１１ないし図１４に示すように、側フレーム２５の上面に当接する左右リブ３４１と、側フレーム２５の内側面に沿って伸びる前後リブ３４２と、この前後リブ３４２の内側面に沿って間欠的に設けられた保護シート受け取付部３０１とを備えたものである。
【００３０】
左右リブ３４１は、側フレーム２５と座板本体３１との間に隙間５１を形成するためのもので、前後方向に間隔をあけて複数配されている。これら複数の左右リブ３４１は、座板３の下面からの突出量が後方に向かって漸次大きくなるように設定してある。具体的には、左右リブ３４１は、前後及び中間部の３箇所に設けられており、その突出量は、前の左右リブ３４１よりも中間部の左右リブ３４１が大きく、中間部の左右リブ３４１よりも後ろの左右リブ３４１が大きい。
【００３１】
前後リブ３４２は、前記側フレーム２５の緩傾斜部分２５３に沿うように配されたもので、前記緩傾斜部分２５３の後半部に後述する保護シート受け３０２を介して添設している。これら左右対をなす前後リブ３４２は、それぞれ前後方向に連続して形成されたものである。
【００３２】
保護シート受け取付部３０１は、下面に保護シート３０３を貼り設けた保護シート受け３０２を取り付けるためのもので、座板３の下面から突出しており、該座板３に一体に設けられている。保護シート受け３０２は、座板３と別体をなす樹脂製のもので、座板３の裏面に取付具たるビス５４を用いて取り付けられる。詳述すれば、この保護シート受け３０２は、前後リブ３４２及び保護シート受け取付部３０１を下面側から覆うように取り付けられる箱状のもので、底面３０４に前記保護シート受け取付部３０１に対応して設けられたビス孔３０５が設けられている。そして、保護シート受け３０２のビス孔３０５に下面側から挿通させたビス５４を保護シート受け取付部３０１に螺着することによって、前記保護シート受け３０２を前記座板３に固定している。保護シート受け３０２は、下端部の底面３０４側に形成した凹溝３０６に沿って発泡シート等の保護シート３０３を添着し、その保護シート３０３の下面を案内面３０７としている。これらの左右の案内面３０７は、前端から後方に向けて左右間距離が漸次小さくなるように傾斜させて形成されたものであり、後端部分３０８が反り上がった形状をなしている。これらの保護シート受け３０２は、図１５及び図１６に示すように、側フレーム２５よりも下方に位置する箇所に、座受用フレームに沿って前後方向に伸びるように配置され後述するスタッキング時に同一の構造をなす他の椅子Ｓ１の座板Ｓ３の上面に接触可能な案内面３０７を形成したものである。これらの保護シート受け３０２は、図１２及び図１３に示すように、クッション性を有した緩衝層３０９を備えたものであり、具体的には、保護シート受け３０２の底面３０４に緩衝層３０９を形成する保護シート３０３を添着し、その保護シート３０３の下面を案内面３０７としたものである。なお、少なくとも保護シート受け３０２の先端たる案内面３０７が座受用フレームより下方に位置している部分があればよく、本実施形態の場合の前後リブ３４２の先端は、側フレーム２５よりも下方に突出している必要はないが、前後端を除いても、前部から後部に至るそのほぼ全長において案内面３０７は側フレーム２５よりも下方に突出していると、その効果はより確実なものになる。
【００３３】
指挟み防止部３５は、図８及び図１０、図１７及び図１８に示すように、座板本体３１の下面と側フレーム２５の上面との間の隙間５１が形成された領域に設けられたもので、弾性リブ３５１と補強リブ３５２とを具備してなる。弾性リブ３５１は、座板３の下面から一体に突設されたもので、その先端３５６を側フレーム２５の外面に傾斜した状態で弾接するようにしてなる。具体的には、弾性リブ３５１は、左右方向に伸びる板状のもので、その先端３５６を側フレーム２５の前端部２５１の上面に傾斜した状態で当接させてあり、座板３に作用する上載荷重により厚み方向に弾性変形し得るようになっている。詳述すれば、この弾性リブ３５１は、側フレーム２５の前端部２５１の下方湾曲部上面に当接し、着座荷重によって、基端に対して先端３５６が前上方に回動する方向に弾性変形される。補強リブ３５２は、前記弾性リブ３５１の弾性変形を規制するためのもので、この実施形態においては、前記弾性リブ３５１の外側端３５７に一体に設けられている。すなわち、補強リブ３５２は、前記隙間５１を隠す位置に設けられており、弾性リブ３５１と補強リブ３５２とは、平面視においてＬ字形をなすように形成されている。なお、図１８では、座板３の前端部分３８に荷重がかかる前の状態を実線で示し、座板３の前端部分３８に荷重がかかった後の状態の座板３の断面外形状を二点鎖線で示している。
【００３４】
前の連結フレーム係合部３２における左右両端に設けられた取付部３６は、図７、図８及び図１０に示すように、座板３の前端部分３８を前連結フレーム２６に緊締固着するためのもので、座板本体３１の下面に一体に設けられたトンネル状をなすナット保持部３６１と、このナット保持部３６１内に装着される板ナット３６２とを具備してなるもので、前記ナット保持部３６１における前記板ナット３６２のめねじ孔３６６に対応する部位に貫通孔３６３が設けられている。そして、前連結フレーム２６のビス孔２６３に下面側から挿通させたビス５３を前記貫通孔３６３を通して前記めねじ孔３６６に螺着することによって、前記座板３を前記前連結フレーム２６に固定している。これら左右のナット保持部３６１の下面と、前の連結フレーム係合部３２の前後リブ３２１の先端面とは、同じ高さ位置になるように設定してある。すなわち、平板状をなす前連結フレーム２６の上面は、ナット保持部３６１の下面と前後リブ３２１の先端面に当接している。
【００３５】
後ろの連結フレーム係合部３３における左右両端に設けられた取付部３７は、図７、図８及び図１１に示すように、座板３の後端部分３９を後連結フレーム２４に緊締固着するためのもので、座板本体３１の下面に一体に設けられたトンネル状をなすナット保持部３７１と、このナット保持部３７１内に装着される板ナット３７２とを具備してなるもので、前記ナット保持部３７１における前記板ナット３７２のめねじ孔３７６に対応する部位に貫通孔３７３が設けられている。そして、後連結フレーム２４のビス孔２４３に後ろ側から挿通させたビス５２を前記貫通孔３７３を通して前記めねじ孔３７６に螺着することによって、前記座板３を前記後連結フレーム２４に固定している。これら左右のナット保持部３７１の下面と、後ろの連結フレーム係合部３３の前後リブ３３１の先端面とは、同じ高さ位置になるように設定してある。すなわち、平板状をなす後連結フレーム２４の上面は、ナット保持部３７１の下面と前後リブ３３１の先端面に当接している。なお、本実施形態においては、後連結フレーム２４及び座板３の後端部が後方に向かって漸次高くなるように傾斜しているので、前記ビス５２を締め付けることにより前記座板３が後方に牽引され、前記前後リブ３４２が保護シート受け３０２を介して側フレーム２５の緩傾斜部分２５３に密着するように設定されている。
【００３６】
背板４は、図１ないし図７、図９及び図１４に示すように、背板本体４１と、この背板本体４１の左右両側部に一体に設けられた取付部４２とを備えたもので、前記取付部４２は、前記背板本体４１の下縁４１１よりも下方に延出させてある。そして、この取付部４２に形成された下方に開口する取付孔４２１を前記後脚２３の上端２３１に嵌め合わせることによって、この背板４を椅子本体２に支持させている。後脚２３は、その上端２３１が背板本体４１の中央部における下縁４１１とほぼ同一高さ位置に達するまで取付孔４２１に挿入され固定されている。背板本体４１は、中央部が後方に膨出するように湾曲しており、その中央部の上側に開口４１２を備えている。この開口４１２は、左右方向に伸びる長孔状のもので、この開口４１２の背板４背面側における周縁部に後方に膨出するフランジ部４１３が形成されている。
【００３７】
以上説明した椅子１は、後連結フレーム２４の下方において後脚２３間が下方及び後方に向けて開放されているため、図１５及び図１６に示すように、同一構造をなす他の椅子Ｓ１の上に重ねてスタッキングすることができる。この椅子１は、他の椅子Ｓ１の上にスタッキングさせた状態で、ベース２１に取り付けられた接地体２１１の下面が他の椅子Ｓ１のベースＳ２１上に当接し、図１６に示すように、座板３、Ｓ３同士は当たらない。詳述すれば、案内面３０７と他の椅子Ｓ１の座板Ｓ３の上面との間に隙間を形成して、スタッキングさせた状態では、案内面３０７が座板Ｓ３に当たらないようにしている。なお、図１５及び図１６において、本実施形態の椅子１に対応する構成要素には、頭に「Ｓ」をつけた同様の符号を付して示すものとし、具体的な説明を省略している。
【００３８】
以上に述べたように、本実施形態に係る椅子１は、座受用フレームのうち側フレーム２５上に座板３を配してなり、この側フレーム２５の上面と座板３の下面との間に隙間５１が形成されたものであって、その隙間５１が形成された領域に、座板３の下面から弾性リブ３５１を一体に突設し、その弾性リブ３５１の先端３５６を側フレーム２５の上面に傾斜した状態で弾接するようにしたものであるので、この隙間５１での指挟みを解消できる。そして、弾性リブ３５１が、座板３にかかる荷重によって厚み方向の曲げ変形を生じるものであるので、従来の支持リブのようにフレームに直交するものと異なり、着座者の底付き感を緩和させることができる。すなわち、弾性リブ３５１が弾性変形することで側フレーム２５の上面と座板３の下面との間の隙間５１が荷重に応じて変形するためクッション性を確保でき、座り心地を良好なものとすることが可能となる。
【００３９】
本実施形態の弾性リブ３５１は、樹脂製の座板３と一体に設けられたものであるので、容易に成形することができると同時に、この弾性リブ３５１の強度も保つことができる。
【００４０】
また、弾性リブ３５１が、パイプ状をなす側フレーム２５の上面側、具体的には、側フレーム２５の前端部２５１の前下方に向かって湾曲した部分に、この湾曲部分に沿って前下方に向かって伸びるように設けられたものであるので、この弾性リブ３５１は側フレーム２５の湾曲した部分に沿って無理なく弾性変形し得る。また、座板３に荷重がかかっていない場合にも弾性リブ３５１の先端３５６が前記側フレーム２５上に当接しているので、荷重がかかった際に弾性リブ３５１の先端３５６と側フレーム２５との間で発生する音や衝撃を抑制することができる。
【００４１】
そして、弾性リブ３５１が、前記座板３の前縁部分に設けられたものであるので、座板３の前端部分３８が下方に垂れ下がった形状をなしていることと相俟って、座板３の下面と側フレーム２５の上面との間の隙間５１のうち、特に着座している使用者やスタッキング作業を行う使用者が指を挟みやすい座板３の前端部分３８の隙間５１に、誤って指を挟んでしまうおそれを抑制できる。これは、座板３の前端部分３８が、前連結フレーム２６及び側フレーム２５の前端部２５１のみで片持ち梁のように支持されているので、座板３にかかる荷重によって厚み方向に変形しやすいことによるものである。
【００４２】
さらに、本実施形態の座板３は、前記弾性リブ３５１の弾性変形を規制するための補強リブ３５２を備えたものであるので、座板３にかかる荷重によって弾性リブ３５１が適度に弾性変形し得るように調節できる。この補強リブ３５２は、樹脂製の座板３及び弾性リブ３５１と一体に形成されたものであるので、容易に成形することができると同時に、この補強リブ３５２の強度も保つことができる。
【００４３】
この補強リブ３５２は、前記隙間５１を隠す位置に設けられたものであり、具体的には、座板３の前端部分３８において座板３の下面と側フレーム２５の上面との間の隙間５１を隠すように、側フレーム２５の外側に設けられたものであるので、この隙間５１に誤って指を挟んでしまうおそれを抑制できる。また、この補強リブ３５２は、左右側縁外方から取付部３６、３７付近が見えるのを目隠しする役割も担っており、椅子１全体の美観を保つことができる。
【００４４】
また、補強リブ３５２が、前記弾性リブ３５１の一側端、具体的には弾性リブ３５１の外側端３５７のみに接続して補強するものであるので、補強リブ３５２が弾性リブ３５１に適度な規制を与えることとなる。すなわち、弾性リブ３５１と補強リブ３５２とが平面視Ｌ字形をなすものであり、補強リブ３５２の前端側が弾性リブ３５１の外側端３５７側を規制するとともに、弾性リブ３５１の内側端側はリブ等に接続されることなく解放されるようにしている。そのため、補強リブ３５２によって弾性リブ３５１に過度な規制をすることがなく、弾性リブ３５１が弾性変形することができ、座り心地を良くすることができる。
【００４５】
本実施形態の座板３は、多数の貫通孔３１１を備えたものであるので、通気性を良くすることができる。そのため、この座板３が樹脂製のものであるにもかかわらず、座板３上に長時間着座していても不快感を与えにくい。また、座板３に使われる樹脂素材によっては、貫通孔３１１を設けることによって、座板３の撓み具合を調節することができる。本実施形態のように、特に荷重のかかりやすい座板３の後端部分３９側を比較的大きな径の貫通孔３１１にするとともに、着座者の大腿部をしっかり支持したい座板３の前端部分３８側を比較的小さな径の貫通孔３１１にしているので、座板３の各箇所によって撓み具合を変化させるようにでき、座り心地を良好なものにすることができる。また、各貫通孔３１１は、円筒部分３１６と円錐部分３１７と、これらの境界部分３１８に稜線を有するものであるので、座板３の厚み寸法を実際よりも薄く見せることができる。すなわち、境界部分３１８の稜線が明確なので、座板３の斜め上方から視認した使用者は、座板３の板厚が、円筒部分３１６の厚みのみであるかのような錯覚を生じさせるものである。
【００４６】
本実施形態の背板４は、中央部に横長の開口４１２を設けたものであるので、通気性を良くすることができる。この開口４１２は、椅子１の持ち運び作業やスタッキング作業を行う際の取っ手として利用することもできる。特に、開口４１２の周囲には、この開口４１２の全周を囲うようにフランジ部４１３が設けられているため、開口４１２を取っ手として利用する際にはこのフランジ部４１３に手を掛けることができる。この開口４１２に手を掛けたときに、フランジ部４１３によって開口縁部のみ厚みを大きくすることができ、これにより手にかかる荷重を分散できるため、手が痛くならないという効果が得られる。また、このフランジ部４１３には、椅子１の背面からの美観を良好なものにするという効果もある。この背板４が取り付けられる後脚２３は、シェル状をなす背板本体４１に嵌っている部分より円筒状をなす取付部４２に嵌っている部分の方が多い。そのため、背板４が荷重を受けた際に後方に変形する動きを後脚２３が阻害してしまうことはない。また、背板４の背板本体４１は、中央部が後方に突となるように湾曲しているとともに、左右両端の取付部４２に対応する部分は、湾曲することなく平坦なものである。そのため、背板本体４１の中央部で着座者の背中を包み込むようなホールド感を与えるとともに、学校用または事務用等として使用される際によく生じる着座者が上半身をひねって横を向く動作にも支障を与えることない設計となっている。
【００４７】
なお、本発明は以上に述べた実施形態に限られない。
【００４８】
例えば、弾性リブは、上述した実施形態のものには限られず、図１９ないし図２１に示すようなものであってもよい。以下、本実施形態に対応する構成要素には、頭に「Ａ」、「Ｂ」、「Ｃ」を付けた同様の符号を付して示すものとし、具体的な説明を省略する。
【００４９】
まず、図１９に示すものは、指挟み防止部Ａ３５が、座板本体Ａ３１の下面と側フレームＡ２５の上面との間の隙間Ａ５１が形成された領域に設けられた弾性リブＡ３５１のみからなるものである。弾性リブＡ３５１は、座板Ａ３の下面から一体に突設されたもので、その先端Ａ３５６を側フレームＡ２５の外面に傾斜した状態で弾接するようにしてなる。具体的には、弾性リブＡ３５１は、左右方向に伸びる板状のもので、その先端Ａ３５６を側フレームＡ２５の前端部Ａ２５１の上面に前方に傾斜した状態で当接させてあり、座板Ａ３に作用する上載荷重により厚み方向に弾性変形し得るようになっている。この弾性リブＡ３５１は、上述した実施形態に示すものと同一またはこれに準ずる効果を得ることができる。
【００５０】
次に、図２０に示すものは、指挟み防止部Ｂ３５が、座板本体Ｂ３１の下面と側フレームＢ２５の上面との間の隙間Ｂ５１が形成された領域に設けられた弾性リブＢ３５１のみからなるものである。この弾性リブＢ３５１は、座板Ｂ３の下面から一体に突設されたもので、その先端Ｂ３５６を側フレームＢ２５の外面に傾斜した状態で弾接するようにしてなる。具体的には、弾性リブＢ３５１は、前後方向に伸びる板状のもので、その先端Ｂ３５６を側フレームＢ２５の上面に傾斜した状態で当接させてあり、座板Ｂ３に作用する上載荷重により厚み方向に弾性変形し得るようになっている。この弾性リブＢ３５１は、前記隙間Ｂ５１を隠す位置に設けられている。
【００５１】
このように、弾性リブＢ３５１が、パイプ状をなす側フレームＢ２５の上面側、具体的には、側フレームＢ２５の前後方向に伸びる部分において外側方に向かって下方に湾曲した部分に、この湾曲部分に沿って下方に向かって伸びるように設けられたものであるので、この弾性リブＢ３５１は側フレームＢ２５の湾曲した部分に沿って無理なく弾性変形し得る。また、座板Ｂ３に荷重がかかっていない場合にも弾性リブＢ３５１の先端Ｂ３５６が前記側フレームＢ２５上に当接しているので、荷重がかかった際に弾性リブＢ３５１の先端Ｂ３５６と側フレームＢ２５との間で発生する音や衝撃を抑制することができる。
【００５２】
また、図２１に示すものは、図２０と同様に、指挟み防止部Ｃ３５が、座板本体Ｃ３１の下面と側フレームＣ２５の上面との間の隙間Ｃ５１が形成された領域に設けられた弾性リブＣ３５１のみからなるものである。この弾性リブＣ３５１は、座板Ｃ３の下面から一体に突設されたもので、その先端Ｃ３５６を側フレームＣ２５の外面に傾斜した状態で弾接するようにしてなる。具体的には、弾性リブＣ３５１は、前後方向に伸びる板状のもので、その先端Ｃ３５６を側フレームＣ２５の外側面に傾斜した状態で当接させてあり、座板Ｃ３に作用する上載荷重により厚み方向に弾性変形し得るようになっている。この弾性リブＣ３５１は、前記隙間Ｃ５１を隠す位置に設けられている。この弾性リブＣ３５１も、図２０に示すものと同一またはこれに準ずる効果を得ることができる。
【００５３】
このように、フレームの外面が傾斜したものであれば、弾性リブが座板から垂直に垂れ下がる方向に突出するものであってもよい。すなわち、側フレームの外面と弾性リブが荷重を受けた際にこの側フレームの外面に当たる接触面とが垂直に当たらない状態のものであれば、どのようなものであってもよい。
【００５４】
このように、弾性リブは、座板の前端部に設けられたものに限られない。また、弾性リブが、座板に荷重がかかっていない状態で座受用フレームに当接していないものであってもよい。また、弾性リブは、その全体が座受用フレームに対して傾斜しているものに限られず、少なくとも座受用フレームに当接する部分のみが傾斜していればよい。
【００５５】
補強リブも同様に、座板の前端部に設けられたものに限られない。また、弾性リブが、座板に荷重がかかっていない状態で座受用フレームに当接していないものであってもよい。また、補強リブは、弾性リブに一体に設けられたものには限られない。
【００５６】
弾性リブと補強リブとの配置関係は、上述した実施形態で述べたＬ字形状、すなわち弾性リブの一側端のみを補強リブの一側端により補強しているものに限られない。例えば、これら弾性リブと補強リブとを平行に配置したり、交差させて設けたり、一定の角度をなすように配置するものであってもよい。また、弾性リブの左右両側縁から補強リブを接続させた平面視コ字形をなすものであってもよい。
【００５７】
また、補強リブは、弾性リブと同様に、弾性変形しながら側面からの指挟みを防止するものであってもよい。すなわち、補強リブの先端も座受用フレームの外面に傾斜した状態で弾接するようにしたものであってもよい。このような補強リブの一例としては、側フレームの前端部の側面に当接し、着座荷重によって、基端に対して先端が横上方に回動する方向に弾性変形されるようにしたものが挙げられる。
【００５８】
その他、本発明の趣旨を損ねない範囲で種々に変更してよい。
【符号の説明】
【００５９】
３…座板
３５１…弾性リブ
３５２…補強リブ
３５６…先端
５１…隙間
【図１】
0005652781.tif 000002
【図２】
0005652781.tif 000003
【図３】
0005652781.tif 000004
【図４】
0005652781.tif 000005
【図５】
0005652781.tif 000006
【図６】
0005652781.tif 000007
【図７】
0005652781.tif 000008
【図８】
0005652781.tif 000009
【図９】
0005652781.tif 000010
【図１０】
0005652781.tif 000011
【図１１】
0005652781.tif 000012
【図１２】
0005652781.tif 000013
【図１３】
0005652781.tif 000014
【図１４】
0005652781.tif 000015
【図１５】
0005652781.tif 000016
【図１６】
0005652781.tif 000017
【図１７】
0005652781.tif 000018
【図１８】
0005652781.tif 000019
【図１９】
0005652781.tif 000020
【図２０】
0005652781.tif 000021
【図２１】
0005652781.tif 000022